(57)【特許請求の範囲】
【請求項１】
炊飯器本体と、この炊飯器本体内に着脱自在に収納した鍋と、この鍋の収納部を上枠とともに構成する保護枠と、この保護枠の底部外面に配設した誘導コイルと、前記上枠の上端部に設け前記鍋の上端周縁部を載せて鍋を支持する鍋支持部材とを備え、前記鍋支持部材は、上下方向の厚みが異なる複数種類を予め用意し、前記上枠の上端部から前記保護枠の底部までの上下方向の寸法によって、厚みが異なる鍋支持部材を選択して取り付ける構成とし、前記鍋支持部材は、縦断面形状を第１の高さの幅広部分と第２の高さの幅狭部分とで形成した凸形状にし、上枠の前記鍋支持部材の取り付け部の縦断面形状を、深さが前記第１の高さより浅い幅広部分と深さが前記第２の高さより深い幅狭部分で形成した逆凸形の凹形状にした炊飯器。
【請求項２】
上下方向の寸法が異なる複数の鍋支持部材の上表面にそれぞれ形状が異なる凹部を形成した請求項１記載の炊飯器。
【発明の詳細な説明】
【０００１】
【発明の属する技術分野】
本発明は、炊飯器本体内に着脱自在に収納した鍋で炊飯する炊飯器に関するものである。
【０００２】
【従来の技術】
従来、この種の炊飯器は図９に示すように構成していた。以下、その構成について説明する。
【０００３】
図９に示すように、炊飯器本体１０１は、略円筒状に形成し、その内部に鍋１０２の収納部を、保護枠底部１０３、保護枠側面部１０４、上枠１０５で構成している。上枠１０５は、鍋１０２のフランジ部１０６が当接することで、鍋１０２と鍋１０２内の米と水１０７を保持している。蓋体１０８は、炊飯器本体１０１を開閉自在に覆っている。
【０００４】
誘導コイル１０９は保護枠底部１０３の外側に鍋１０２の底部と対して配置しており、制御基板１１０により通電を制御し鍋１０２を加熱することにより炊飯を行っている。
【０００５】
【発明が解決しようとする課題】
しかしながら、このような従来の構成では、上枠１０５、保護枠側面部１０４、保護枠底部１０３、鍋１０２の上下方向の寸法ばらつきによって、鍋１０２の底と誘導コイル１０９との上下方向の寸法がばらつく。鍋１０２と誘導コイル１０９との上下方向の寸法は鍋１０２を均一に加熱するために重要なファクターである。
【０００６】
すなわち、鍋１０２と誘導コイル１０９との上下方向の寸法が小さ過ぎると誘導コイル１０９直上の鍋１０２の部分が加熱されて炊きむらが生じる。逆に、鍋１０２と誘導コイル１０９との上下方向の寸法が大き過ぎると、誘導コイル１０９による鍋１０２の加熱効率が下がり、誘導コイル１０９や制御基板１１０の温度上昇が大きくなるなどの現象が生じる。
【０００７】
本発明は上記従来の課題を解決するもので、鍋と誘導コイルとの上下方向の寸法のばらつきと抑えることにより、鍋を均一に加熱して炊きむらの少ない、かつ加熱効率のよい炊飯器を提供することを目的としている。
【０００８】
【課題を解決するための手段】
本発明は上記目的を達成するために、炊飯器本体内に着脱自在に鍋を収納し、この鍋の収納部を上枠と保護枠とで構成し、この保護枠の底部外面に誘導コイルを配設し、上枠の上端部に設けた鍋支持部材により鍋の上端周縁部を載せて鍋を支持するよう構成し、鍋支持部材は、上下方向の厚みが異なる複数種類を予め用意し、上枠の上端部から保護枠の底部までの上下方向の寸法によって、厚みが異なる鍋支持部材を選択して取り付ける構成とし、鍋支持部材は、縦断面形状を第１の高さの幅広部分と第２の高さの幅狭部分とで形成した凸形状にし、上枠の前記鍋支持部材の取り付け部の縦断面形状を、深さが前記第１の高さより浅い幅広部分と深さが前記第２の高さより深い幅狭部分で形成した逆凸形の凹形状にしたものである。
【０００９】
これにより、鍋と誘導コイルとの上下方向の寸法のばらつきと抑えることができ、鍋を均一に加熱できて、炊きむらの少ない、かつ加熱効率のよい炊飯器を提供することができる。さらに、予め用意する上下方向の厚みが異なる鍋支持部材の種類を少なくすることができる。
【００１０】
【発明の実施の形態】
本発明の請求項１に記載の発明は、炊飯器本体と、この炊飯器本体内に着脱自在に収納した鍋と、この鍋の収納部を上枠とともに構成する保護枠と、この保護枠の底部外面に配設した誘導コイルと、前記上枠の上端部に設け前記鍋の上端周縁部を載せて鍋を支持する鍋支持部材とを備え、前記鍋支持部材は、上下方向の厚みが異なる複数種類を予め用意し、前記上枠の上端部から前記保護枠の底部までの上下方向の寸法によって、厚みが異なる鍋支持部材を選択して取り付ける構成とし、前記鍋支持部材は、縦断面形状を第１の高さの幅広部分と第２の高さの幅狭部分とで形成した凸形状にし、上枠の前記鍋支持部材の取り付け部の縦断面形状を、深さが前記第１の高さより浅い幅広部分と深さが前記第２の高さより深い幅狭部分で形成した逆凸形の凹形状にしたものであり、上枠、保護枠、鍋の上下方向の寸法ばらつきによって、厚みが異なる鍋支持部材を選択して取り付けることで、鍋と誘導コイルとの上下方向の寸法のばらつきと抑えることができ、鍋を均一に加熱できて、炊きむらの少ない、かつ加熱効率のよい炊飯器を提供することができる。
【００１１】
さらに、予め用意する上下方向の厚みが異なる鍋支持部材の種類を少なくすることができる。
【００１２】
請求項２に記載の発明は、上記請求項１に記載の発明において、上下方向の寸法が異なる複数の鍋支持部材の上表面にそれぞれ形状が異なる凹部を形成したものであり、寸法が異なる鍋支持部材を容易に判別できるので、鍋支持部材を上枠に間違いなく取り付けできるとともに、アフターサービス時、上枠を交換したときなど、上枠の上端部から保護枠底部までの上下方向の寸法を測定することなく、適正な鍋支持部材を供給することができる。
【００１３】
【実施例】
以下、本発明の実施例について、図面を参照しながら説明する。
【００１４】
（実施例１）
図１に示すように、炊飯器本体１は、内部に鍋２の収納部を構成する保護枠３と保護枠側面部４および上枠５とを配設している。鍋２は、たとえば外側を磁性体、内面をアルミニウムとしたクラッド鋼板で形成しており、その上端部に形成した上端周縁部６を上枠５の上端部７に設けた複数個の鍋支持部材８に当接させることにより鍋２を支持している。
【００１５】
鍋支持部材８は、上下方向の厚みが異なる複数種類を予め用意しており、鍋支持部材８を上枠５に取り付ける際には、上枠５の上端部７から保護枠３の底部９までの上下方向の寸法を測定し、上枠５の上端部７から保護枠３の底部９までの上下方向の寸法が小さい場合には、上下方向の厚みが厚い鍋支持部材８を選択して取り付け、また、上枠５の上端部７から保護枠３の底部９までの上下方向の寸法が大きい場合には、上下方向の厚みが薄い鍋支持部材８を選択して取り付ける。
【００１６】
鍋支持部材８と上枠５の上端部７とは両面テープなどで固着している。また、保護枠３の底部外面には誘導コイル１０を保護枠カバー１１との間で保持している。そして、保護枠カバー１１の外面にフェライト１２を取り付け、このフェライト１２により誘導結合を高め、外部への防磁を行っている。また、保護枠側面部４には、たとえば被覆絶縁したヒータ１３を貼り付けている。
【００１７】
さらに、保護枠底部３の中央には、たとえばサーミスタなどを内蔵した感熱部１４を配設しており、この感熱部１４はセンサばね１５により付勢されて鍋２の底部に接触して鍋２の底温度を感知するようにしている。感熱部１４が感知した温度情報は電気回路１６に伝達して、誘導コイル１０およびヒータ１３の制御を行う。なお、１７は蓋体で炊飯器本体１を開閉自在に覆っている。
【００１８】
上記構成において、上枠５の上端部７から保護枠３の底部９までの上下方向の寸法値Ａが、例えば１５０ｍｍから１５２ｍｍの範囲でばらつくことが把握できたとする。鍋支持部材８の上下方向の厚みをＢ＝３．０ｍｍ、Ｂ＝３．５ｍｍ、Ｂ＝４．０ｍｍ、Ｂ＝４．５ｍｍの４種類用意して、
１５０≦Ａ＜１５０．５のときはＢ＝４．５・・・・（１）
１５０．５≦Ａ＜１５１のときはＢ＝４．０・・・・（２）
１５１≦Ａ≦１５１．５のときはＢ＝３．５・・・・（３）
１５１．５＜Ａ≦１５２のときはＢ＝３．０・・・・（４）
の鍋支持部材８をそれぞれ取り付けると、鍋２の上端周縁部６を載せて鍋２を支持する鍋支持部材８から保護枠底部３の底部９までの寸法Ｃは、
Ｃ＝Ａ＋Ｂ
であるので、（１）の場合は
１５０＋４．５≦Ｃ＜１５０．５＋４．５
よって、Ｃの範囲は、
１５４．５≦Ｃ＜１５５
となる、同様にして、（２）の場合は、
１５４．５≦Ｃ＜１５５
（３）の場合は、
１５４．５≦Ｃ≦１５５
（４）の場合は、
１５４．５＜Ｃ≦１５５
となり、幅２ｍｍの範囲でばらついていたＡ寸法は４種類の鍋支持部材８を上記のように選択して取り付けることにより、Ｃ寸法を幅０．５ｍｍにすることができる。したがって、鍋２と誘導コイル１０との上下方向の寸法のばらつきと抑えることができ、鍋２を均一に加熱できて、炊きむらの少ない、かつ加熱効率のよい炊飯器を提供することができる。
【００１９】
なお、本実施例では、保護枠３と保護枠側面部４が分離した例で説明したが、保護枠３と保護枠側面部４を一体化した構成でもよく、同じ効果を得ることができる。
【００２０】
（実施例２）
図２に示すように、鍋支持部材８ａは、縦断面形状を、第１の高さＤの幅広部分１７と第２の高さＥの幅狭部分１８で形成した凸形状としている。上枠５ａの鍋支持部材８ａの取り付け部縦断面形状は、深さが第１の高さＤより浅い幅広部分１９と深さが第２の高さＥより深い幅狭部分２０で形成した逆凸形の凹形状としている。他の構成は上記実施例１と同じである。
【００２１】
上記構成において、図２は、上枠５ａの逆凸形の凹部分に、鍋支持部材８ａの幅広部分１７を上方に、幅狭部分１８を下方にして取り付けた状態である。一方、図３は、上枠５ａの逆凸形の凹部分に、鍋支持部材８ａの幅広部分１７を下方に、幅狭部分１８を上方にして取り付けた状態である。
【００２２】
これにより、１個の鍋支持部材８ａでありながら、鍋支持部材８ａの上下方向の寸法が２種類の機能を有することになる。
【００２３】
図４は、幅広部分１９の深さ５ｍｍ、幅狭部分２０の深さ２．５ｍｍに形成した上枠５ａに、縦断面形状の第１の高さＤ＝６．５ｍｍの幅広部分１７と第２の高さＥ＝１ｍｍの幅狭部分１８で形成した凸形状の鍋支持部材８ａを、幅広部分１７を上方にして取り付けた状態で、上枠５ａの上面からの鍋支持部材８ａの出代ＦはＦ＝１．５となる。
【００２４】
図５は、上枠５ａに鍋支持部材８ａの幅狭部分１８を上方にして取り付けた状態で、上枠５ａの上面からの鍋支持部材８ａの出代ＦはＦ＝２．５となる。
【００２５】
図６は、上枠５ａに、縦断面形状の第１の高さＤ＝６ｍｍの幅広部分１７と第２の高さＥ＝１ｍｍの幅狭部分１８で形成した凸形状の鍋支持部材８ｂを、幅広部分１７を上方にして取り付けた状態で、上枠５ａの上面からの鍋支持部材８ｂの出代ＦはＦ＝１となる。
【００２６】
図７は、上枠５ａに鍋支持部材８ｂの幅狭部分１８を上方にして取り付けた状態で、上枠５ａ上面からの鍋支持部材８ｂの出代ＦはＦ＝２となる。
【００２７】
したがって、鍋支持部材８ａ、８ｂは２種類でありながら、上枠５ａの上面からの鍋支持部材８ａ、８ｂの出代Ｆは、Ｆ＝１、Ｆ＝１．５、Ｆ＝２、Ｆ＝２．５の４種類を構成することができる。
【００２８】
（実施例３）
図８に示すように、鍋支持部材８ｃは、上表面に丸形状の凹部２１を形成している。ここで、図８（ａ）〜（ｄ）は、それそぞれ鍋支持部材８ｃの上下方向の寸法が異なり、これら上下方向の寸法が異なる複数の鍋支持部材８ｃの上表面に、上下方向の寸法に応じて丸形状の凹部２１をそれぞれ１個ないし４個形成している。他の構成は上記実施例１または２と同じである。
【００２９】
上記構成において、上下方向の寸法が異なる複数の鍋支持部材８ｃの上表面に、上下方向の寸法に応じて丸形状の凹部２１をそれぞれ１個ないし４個形成しているので、凹部２１の数により上下方向の寸法が異なる鍋支持部材８を容易に判別できる。したがって、鍋支持部材８ｃを上枠５に間違いなく取り付けできるとともに、アフターサービス時、上枠５を交換したときなど、上枠５の上端部から保護枠３の底部９までの上下方向の寸法を測定することなく、適正な鍋支持部材８ｃを供給することができる。
【００３０】
なお、本実施例では、鍋支持部材８ｃの上表面に丸形状の凹部２１の数を変えた構成の例を述べたが、例えば、凹形状を□や△などの構成にしても、同様の効果が得られる。
【００３１】
【発明の効果】
以上のように本発明の請求項１に記載の発明によれば、炊飯器本体と、この炊飯器本体内に着脱自在に収納した鍋と、この鍋の収納部を上枠とともに構成する保護枠と、この保護枠の底部外面に配設した誘導コイルと、前記上枠の上端部に設け前記鍋の上端周縁部を載せて鍋を支持する鍋支持部材とを備え、前記鍋支持部材は、上下方向の厚みが異なる複数種類を予め用意し、前記上枠の上端部から前記保護枠の底部までの上下方向の寸法によって、厚みが異なる鍋支持部材を選択して取り付ける構成とし、前記鍋支持部材は、縦断面形状を第１の高さの幅広部分と第２の高さの幅狭部分とで形成した凸形状にし、上枠の前記鍋支持部材の取り付け部の縦断面形状を、深さが前記第１の高さより浅い幅広部分と深さが前記第２の高さより深い幅狭部分で形成した逆凸形の凹形状にしたから、上枠、保護枠、鍋の上下方向の寸法ばらつきによって、厚みが異なる鍋支持部材を選択して取り付けることで、鍋と誘導コイルとの上下方向の寸法のばらつきと抑えることができ、鍋を均一に加熱できて、炊きむらの少ない、かつ加熱効率のよい炊飯器を提供することができる。
【００３２】
さらに、予め用意する上下方向の厚みが異なる鍋支持部材の種類を少なくして、鍋の上端周縁部を鍋支持部材に当接させて載置した鍋の底と保護枠の底部外面に保持された誘導コイルとの上下方向の寸法のばらつきを抑えることができる。
【００３３】
また、請求項２に記載の発明によれば、上下方向の寸法が異なる複数の鍋支持部材の上表面にそれぞれ形状が異なる凹部を形成したから、寸法が異なる鍋支持部材を容易に判別できるので、鍋支持部材を上枠に取り付けるとき、鍋支持部材を上枠に間違いなく取り付けできるとともに、アフターサービス時、上枠を交換したときなど、上枠の上端部から保護枠底部までの上下方向の寸法を測定することなく、適正な鍋支持部材を供給することができる。
【図面の簡単な説明】
【図１】  本発明の第１の実施例の炊飯器の一部切欠した断面図
【図２】  本発明の第２の実施例の炊飯器の要部断面図
【図３】  同炊飯器の鍋支持部材を上下逆にして取り付けた状態の要部断面図
【図４】  同炊飯器の鍋支持部材の一例を取り付けた状態の要部断面図
【図５】  同炊飯器の鍋支持部材を上下逆にして取り付けた状態の要部断面図
【図６】  同炊飯器の鍋支持部材の他の例を取り付けた状態の要部断面図
【図７】  同炊飯器の鍋支持部材を上下逆にして取り付けた状態の要部断面図
【図８】  （ａ）本発明の第３の実施例の炊飯器の鍋支持部材の一例の斜視図
（ｂ）同炊飯器の鍋支持部材の他の例の斜視図
（ｃ）同炊飯器の鍋支持部材の他の例の斜視図
（ｄ）同炊飯器の鍋支持部材の他の例の斜視図
【図９】
従来の炊飯器の一部切欠した断面図
【符号の説明】
１  炊飯器本体
２  鍋
３  保護枠
５  上枠
６  上端周縁部
７  上端部
８  鍋支持部材
９  底部
１０  誘導コイル
【図１】
0003849493.tif 000002
【図２】
0003849493.tif 000003
【図３】
0003849493.tif 000004
【図４】
0003849493.tif 000005
【図５】
0003849493.tif 000006
【図６】
0003849493.tif 000007
【図７】
0003849493.tif 000008
【図８】
0003849493.tif 000009
【図９】
0003849493.tif 000010